(57)【要約】【課題】容易に杭を接続することのできる杭の接続構造を提供する。【解決手段】２本の円管状の杭１の端部２を、短筒状の継手３にて、相互に接続する接続構造であって、杭１の端部２に、最端縁部60から長手方向へ細長状切欠部61を複数形成すると共に、貫孔63を複数形成し、さらに継手３が、軸心方向中間部に内鍔部10を有し、内鍔部10には杭１の端部２が差込まれる環状凹溝13が形成され、かつ、杭１の端部２が環状凹溝13に差込まれた状態で杭１の端部２の内周面２ａに対向する複数の保持舌片70を内鍔部10から起立状として設け、細長状切欠部61に差し込まれる連結片部74を継手３の内周面11と保持舌片70の内の所定数のものの外周面70ａを連結するように形成し、さらに、残りの保持舌片70にねじ孔51を貫設し、かつ、ねじ孔51と同一軸心上に継手３の筒壁部12に貫通孔50を形成し、ボルト90を該貫通孔50と上記貫孔63と上記ねじ孔51に串挿状として螺着して、固着する。【選択図】図７
2008223409.tif 000002
【特許請求の範囲】
【請求項１】
２本の円管状の杭（１）の端部（２）を、短筒状の継手（３）にて、相互に接続する接続構造であって、
上記杭（１）の端部（２）に、最端縁部（60）から長手方向へ細長状切欠部（61）を複数形成すると共に、貫孔（63）を複数形成し、  
さらに上記継手（３）が、軸心方向中間部に内鍔部（10）を有し、該内鍔部（10）には上記杭（１）の端部（２）が差込まれる環状凹溝（13）が形成され、かつ、上記杭（１）の端部（２）が上記環状凹溝（13）に差込まれた状態で上記杭（１）の端部（２）の内周面（２ａ) に対向する複数の保持舌片（70）を上記内鍔部（10）から起立状として設け、上記細長状切欠部（61）に差し込まれる連結片部（74）を上記継手（３）の内周面（11）と上記保持舌片（70）の内の所定数のものの外周面（70ａ）を連結するように形成し、さらに、残りの上記保持舌片（70）にねじ孔（51）を貫設し、かつ、該ねじ孔（51）と同一軸心上に上記継手（３）の筒壁部（12）に貫通孔（50）を形成し、ボルト（90）を該貫通孔（50）と上記貫孔（63）と上記ねじ孔（51）に串挿状として螺着して、固着することを特徴とする杭の接続構造。
【請求項２】
２本の円管状の杭（１）の端部（２）を、短筒状の継手（３）にて、相互に接続する接続構造であって、
上記杭（１）の端部（２）に、最端縁部（60）から長手方向へ細長状切欠部（61）を形成すると共に、該細長状切欠部（61）と１８０°反対側の上記端部（２）に貫孔（63）を形成し、
さらに、上記継手（３）が、軸心方向中間部に内鍔部（10）を有し、該内鍔部（10）には上記杭（１）の端部（２）が差込まれる環状凹溝（13）が形成され、かつ、上記杭（１）の端部（２）が上記環状凹溝（13）に差込まれた状態で上記杭（１）の端部（２）の内周面（２ａ) に対向する一対の保持舌片（70）を１８０°の対称位置に上記内鍔部（10）から起立状として設け、上記細長状切欠部（61）に差込まれる連結片部（74）が上記継手（３）の内周面（11）と一つの上記保持舌片（70）の外周面（70ａ）を連結するように形成し、残りの上記保持舌片（70）にねじ孔（51）を貫設し、かつ、該ねじ孔（51）を同一軸心上に上記継手（３）の筒壁部（12）に貫通孔（50）を形成し、ボルト（90）を該貫通孔（50）と上記貫孔（63）と上記ねじ孔（51）に串挿状として螺着して、固着することを特徴とする杭の接続構造。
【請求項３】
２本の円管状の杭（１）の端部（２）を、短筒状の継手（３）にて、相互に接続する接続構造であって、
上記杭（１）の端部（２）に、最端縁部（60）から長手方向へ細長状切欠部（61）を複数形成すると共に、該細長状切欠部（61）の側端縁（61ａ）から円周方向へ横切欠部（62）を形成し、
さらに、上記継手（３）が、軸心方向中間部に内鍔部（10）を有し、該内鍔部（10）には上記杭（１）の端部（２）が差込まれる環状凹溝（13）が形成され、かつ、上記杭（１）の端部（２）が上記環状凹溝（13）に差込まれた状態で上記杭（１）の端部（２）の内周面（２ａ) に対向する複数の保持舌片（70）を上記内鍔部（10）から起立状として設け、上記細長状切欠部（61）に差込まれる連結片部（74）を上記継手（３）の内周面（11）と複数の上記保持舌片（70）の外周面（70ａ）を連結するように形成すると共に、ねじ孔（51）を貫設し、かつ、該ねじ孔（51）と同一軸心上に上記継手（３）の筒壁部（12）に貫通孔（50）を形成し、ボルト（90）を該貫通孔（50）と上記横切欠部（62）と上記ねじ孔（51）に串挿状として螺着して、固着することを特徴とする杭の接続構造。
【請求項４】
２本の円管状の杭（１）の端部（２）を、短筒状の継手（３）にて、相互に接続する接続構造であって、
上記杭（１）の端部（２）に、貫孔（63）を複数形成し、  
さらに、上記継手（３）が、軸心方向中間部に内鍔部（10）を有し、該内鍔部（10）には上記杭（１）の端部（２）が差込まれる環状凹溝（13）が形成され、かつ、上記杭（１）の端部（２）が上記環状凹溝（13）に差込まれた状態で上記杭（１）の端部（２）の内周面（２ａ) に対向する複数の保持舌片（70）を上記内鍔部（10）から起立状として設け、複数の該保持舌片（70）にねじ孔（51）を貫設し、かつ、該ねじ孔（51）と同一軸心上に上記継手（３）の筒壁部（12）に貫通孔（50）を形成し、ボルト（90）を該貫通孔（50）と上記貫孔（63）と上記ねじ孔（51）に串挿状として螺着して、固着することを特徴とする杭の接続構造。
【請求項５】
円管状の杭（１）の端部（２）と羽根（30）を接続する杭（１）と羽根（30）の接続構造であって、
上記杭（１）の端部（２）に、最端縁部（60）から長手方向へ細長状切欠部（61）を複数形成すると共に、貫孔（63）を複数形成し、
上記羽根（30）は、一体又は一体状に有底または無底の短筒状の連結部（31）を有し、  さらに、上記連結部（31）の底壁（32）又は内鍔部（10）の上面に上記杭（１）の端部（２）が差込まれる環状凹溝（13）が形成され、かつ、上記杭（１）の端部（２）が該環状凹溝（13）に差込まれた状態で上記杭（１）の端部（２）の内周面（２ａ) に対向する複数の保持舌片（70）を上記内鍔部（10）から起立状として設け、上記細長状切欠部（61）に差込まれる連結片部（74）を上記連結部（31）の内周面（11）と上記保持舌片（70）の内の所定数のものの外周面（70ａ）を連結するように形成し、さらに、残りの上記保持舌片（70）にねじ孔（51）を貫設し、かつ、該ねじ孔（51）と同一軸心上に上記連結部（31）の筒壁部（12）に貫通孔（50）を形成し、ボルト（90）を該貫通孔（50）と上記貫孔（63）と上記ねじ孔（51）に串挿状として螺着して、固着することを特徴とする杭と羽根の接続構造。
【請求項６】
円管状の杭（１）の端部（２）と羽根（30）を接続する杭（１）と羽根（30）の接続構造であって、
上記杭（１）の端部（２）に、最端縁部（60）から長手方向へ細長状切欠部（61）を形成すると共に、該細長状切欠部（61）と１８０°反対側の上記端部（２）に貫孔（63）を形成し、
上記羽根（30）は、一体又は一体状に有底または無底の短筒状の連結部（31）を有し、  さらに、上記連結部（31）の底壁（32）又は内鍔部（10）の上面に上記杭（１）の端部（２）が差込まれる環状凹溝（13）が形成され、かつ、上記杭（１）の端部（２）が該環状凹溝（13）に差込まれた状態で上記杭（１）の端部（２）の内周面（２ａ）に対向する一対の保持舌片（70）を１８０°の対称位置に上記内鍔部（10）から起立状として設け、上記細長状切欠部（61）に差込まれる連結片部（74）が上記連結部（31）の内周面（11）と一つの上記保持舌片（70）の外周面（70ａ）を連結するように形成し、残りの上記保持舌片（70）にねじ孔（51）を貫設し、かつ、該ねじ孔（51）を同一軸心上に上記連結部（31）の筒壁部（12）に貫通孔（50）を形成し、ボルト（90）を該貫通孔（50）と上記貫孔（63）と上記ねじ孔（51）に串挿状として螺着して、固着することを特徴とする杭と羽根の接続構造。
【請求項７】
円管状の杭（１）の端部（２）と羽根（30）を接続する杭（１）と羽根（30）の接続構造であって、
上記杭（１）の端部（２）に、最端縁部（60）から長手方向へ細長状切欠部（61）を複数形成すると共に、該細長状切欠部（61）の側端縁（61ａ）から円周方向へ横切欠部（62）を形成し、
上記羽根（30）は、一体又は一体状に有底または無底の短筒状の連結部（31）を有し、  さらに、上記連結部（31）の底壁（32）又は内鍔部（10）の上面に上記杭（１）の端部（２）が差込まれる環状凹溝（13）が形成され、かつ、上記杭（１）の端部（２）が該環状凹溝（13）に差込まれた状態で上記杭（１）の端部（２）の内周面（２ａ) に対向する複数の保持舌片（70）を上記内鍔部（10）から起立状として設け、上記細長状切欠部（61）に差込まれる連結片部（74）を上記連結部（31）の内周面（11）と複数の上記保持舌片（70）の外周面（70ａ）を連結するように形成すると共に、ねじ孔（51）を貫設し、かつ、該ねじ孔（51）と同一軸心上に上記連結部（31）の筒壁部（12）に貫通孔（50）を形成し、ボルト（90）を該貫通孔（50）と上記横切欠部（62）と上記ねじ孔（51）に串挿状として螺着して、固着することを特徴とする杭と羽根の接続構造。
【請求項８】
円管状の杭（１）の端部（２）と羽根（30）を接続する杭（１）と羽根（30）の接続構造であって、
上記杭（１）の端部（２）に、貫孔（63）を複数個形成し、  
上記羽根（30）は、一体又は一体状に有底または無底の短筒状の連結部（31）を有し、  さらに、上記連結部（31）の底壁（32）又は内鍔部（10）の上面に上記杭（１）の端部（２）が差込まれる環状凹溝（13）が形成され、かつ、上記杭（１）の端部（２）が該環状凹溝（13）に差込まれた状態で上記杭（１）の端部（２）の内周面（２ａ) に対向する複数の保持舌片（70）を上記内鍔部（10）から起立状として設け、複数の該保持舌片（70）にねじ孔（51）を貫設し、かつ、該ねじ孔（51）と同一軸心上に上記連結部（31）の筒壁部（12）に貫通孔（50）を形成し、ボルト（90）を該貫通孔（50）と上記貫孔（63）と上記ねじ孔（51）に串挿状として螺着して、固着することを特徴とする杭と羽根の接続構造。
【発明の詳細な説明】
【技術分野】
【０００１】
本発明は、杭の接続構造及び杭と羽根の接続構造に関する。
【背景技術】
【０００２】
一般住宅等の小規模建築物の耐震基礎構造の施行方法として、細径の鋼管杭を地中に進入させ地盤に打ち込み（例えば、特許文献１参照）、その鋼管杭の上にコンクリートを打設する方法がある。そして、地盤が柔らかい場合や、岩盤が地中の深い位置にある場合は、１本の鋼管杭では不十分なので、２本の鋼管杭を鉛直方向に接続して地中に進入させ地盤に打ち込んでいた。
また、杭の下端部（先端部）には、掘削用等の羽根を溶接して一体状に固着していた。
【特許文献１】特開２００５−９０１２８号公報
【発明の開示】
【発明が解決しようとする課題】
【０００３】
しかし、従来は、２本の鋼管杭は溶接にて接続されており、また、杭と羽根も溶接にて接続されていたので、接続作業に時間がかかったり、溶接作業者の技術によって溶接強度等にばらつきがある問題があった。また、溶接に必要な電力を確保したり、施工現場に溶接機を運び込んだりしなければならず、面倒であり、また、火災の虞れもあって、溶接作業は特に一般住宅の基礎構造の施工には不向きであった。
【０００４】
そこで、本発明は、容易に杭を接続することのできる杭の接続構造、及び、容易に杭と羽根とを接続することができる杭と羽根の接続構造を提供することを目的とする。
【課題を解決するための手段】
【０００５】
そこで、本発明に係る杭の接続構造は、２本の円管状の杭の端部を、短筒状の継手にて、相互に接続する接続構造であって、上記杭の端部に、最端縁部から長手方向へ細長状切欠部を複数形成すると共に、貫孔を複数形成し、さらに上記継手が、軸心方向中間部に内鍔部を有し、該内鍔部には上記杭の端部が差込まれる環状凹溝が形成され、かつ、上記杭の端部が上記環状凹溝に差込まれた状態で上記杭の端部の内周面に対向する複数の保持舌片を上記内鍔部から起立状として設け、上記細長状切欠部に差し込まれる連結片部を上記継手の内周面と上記保持舌片の内の所定数のものの外周面を連結するように形成し、さらに、残りの上記保持舌片にねじ孔を貫設し、かつ、該ねじ孔と同一軸心上に上記継手の筒壁部に貫通孔を形成し、ボルトを該貫通孔と上記貫孔と上記ねじ孔に串挿状として螺着して、固着されるものである。
【０００６】
また、本発明に係る杭の接続構造は、２本の円管状の杭の端部を、短筒状の継手にて、相互に接続する接続構造であって、上記杭の端部に、最端縁部から長手方向へ細長状切欠部を形成すると共に、該細長状切欠部と１８０°反対側の上記端部に貫孔を形成し、さらに、上記継手が、軸心方向中間部に内鍔部を有し、該内鍔部には上記杭の端部が差込まれる環状凹溝が形成され、かつ、上記杭の端部が上記環状凹溝に差込まれた状態で上記杭の端部の内周面に対向する一対の保持舌片を１８０°の対称位置に上記内鍔部から起立状として設け、上記細長状切欠部に差込まれる連結片部が上記継手の内周面と一つの上記保持舌片の外周面を連結するように形成し、残りの上記保持舌片にねじ孔を貫設し、かつ、該ねじ孔を同一軸心上に上記継手の筒壁部に貫通孔を形成し、ボルトを該貫通孔と上記貫孔と上記ねじ孔に串挿状として螺着して、固着されるものである。
【０００７】
また、本発明に係る杭の接続構造は、２本の円管状の杭の端部を、短筒状の継手にて、相互に接続する接続構造であって、上記杭の端部に、最端縁部から長手方向へ細長状切欠部を複数形成すると共に、該細長状切欠部の側端縁から円周方向へ横切欠部を形成し、さらに、上記継手が、軸心方向中間部に内鍔部を有し、該内鍔部には上記杭の端部が差込まれる環状凹溝が形成され、かつ、上記杭の端部が該環状凹溝に差込まれた状態で上記杭の端部の内周面に対向する複数の保持舌片を上記内鍔部から起立状として設け、上記細長状切欠部に差込まれる連結片部を継手の内周面と複数の上記保持舌片の外周面を連結するように形成すると共に、ねじ孔を貫設し、かつ、該ねじ孔と同一軸心上に上記継手の筒壁部に貫通孔を形成し、ボルトを該貫通孔と上記横切欠部と上記ねじ孔に串挿状として螺着して、固着されるものである。
【０００８】
また、本発明に係る杭の接続構造は、２本の円管状の杭の端部を、短筒状の継手にて、相互に接続する接続構造であって、上記杭の端部に、貫孔を複数形成し、さらに、上記継手が、軸心方向中間部に内鍔部を有し、該内鍔部には上記杭の端部が差込まれる環状凹溝が形成され、かつ、上記杭の端部が上記環状凹溝に差込まれた状態で上記杭の端部の内周面に対向する複数の保持舌片を上記内鍔部から起立状として設け、複数の該保持舌片にねじ孔を貫設し、かつ、該ねじ孔と同一軸心上に上記継手の筒壁部に貫通孔を形成し、ボルトを該貫通孔と上記貫孔と上記ねじ孔に串挿状として螺着して、固着されるものである。
【０００９】
また、本発明に係る杭と羽根の接続構造は、円管状の杭の端部と羽根を接続する杭と羽根の接続構造であって、上記杭の端部に、最端縁部から長手方向へ細長状切欠部を複数形成すると共に、貫孔を複数形成し、上記羽根は、一体又は一体状に有底または無底の短筒状の連結部を有し、さらに、上記連結部の底壁又は内鍔部の上面に上記杭の端部が差込まれる環状凹溝が形成され、かつ、上記杭の端部が該環状凹溝に差込まれた状態で上記杭の端部の内周面に対向する複数の保持舌片を上記内鍔部から起立状として設け、上記細長状切欠部に差込まれる連結片部を上記連結部の内周面と上記保持舌片の内の所定数のものの外周面を連結するように形成し、さらに、残りの上記保持舌片にねじ孔を貫設し、かつ、該ねじ孔と同一軸心上に上記連結部の筒壁部に貫通孔を形成し、ボルトを該貫通孔と上記貫孔と上記ねじ孔に串挿状として螺着して、固着されるものである。
【００１０】
また、本発明に係る杭と羽根の接続構造は、円管状の杭の端部と羽根を接続する杭と羽根の接続構造であって、上記杭の端部に、最端縁部から長手方向へ細長状切欠部を形成すると共に、該細長状切欠部と１８０°反対側の上記端部に貫孔を形成し、上記羽根は、一体又は一体状に有底または無底の短筒状の連結部を有し、さらに、上記連結部の底壁又は内鍔部の上面に上記杭の端部が差込まれる環状凹溝が形成され、かつ、上記杭の端部が該環状凹溝に差込まれた状態で上記杭の端部の内周面に対向する一対の保持舌片を１８０°の対称位置に上記内鍔部から起立状として設け、上記細長状切欠部に差込まれる連結片部が上記連結部の内周面と一つの上記保持舌片の外周面を連結するように形成し、残りの上記保持舌片にねじ孔を貫設し、かつ、該ねじ孔を同一軸心上に上記連結部の筒壁部に貫通孔を形成し、ボルトを該貫通孔と上記貫孔と上記ねじ孔に串挿状として螺着して、固着されるものである。
【００１１】
また、本発明に係る杭と羽根の接続構造は、円管状の杭の端部と羽根を接続する杭と羽根の接続構造であって、上記杭の端部に、最端縁部から長手方向へ細長状切欠部を複数形成すると共に、該細長状切欠部の側端縁から円周方向へ横切欠部を形成し、上記羽根は、一体又は一体状に有底または無底の短筒状の連結部を有し、さらに、上記連結部の底壁又は内鍔部の上面に上記杭の端部が差込まれる環状凹溝が形成され、かつ、上記杭の端部が該環状凹溝に差込まれた状態で上記杭の端部の内周面に対向する複数の保持舌片を上記内鍔部から起立状として設け、上記細長状切欠部に差込まれる連結片部を上記連結部の内周面と複数の上記保持舌片の外周面を連結するように形成すると共に、ねじ孔を貫設し、かつ、該ねじ孔と同一軸心上に上記連結部の筒壁部に貫通孔を形成し、ボルトを該貫通孔と上記横切欠部と上記ねじ孔に串挿状として螺着して、固着されるものである。  
【００１２】
また、本発明に係る杭と羽根の接続構造は、円管状の杭の端部と羽根を接続する杭と羽根の接続構造であって、上記杭の端部に、貫孔を複数個形成し、上記羽根は、一体又は一体状に有底または無底の短筒状の連結部を有し、さらに、上記連結部の底壁又は内鍔部の上面に上記杭の端部が差込まれる環状凹溝が形成され、かつ、上記杭の端部が該環状凹溝に差込まれた状態で上記杭の端部の内周面に対向する複数の保持舌片を上記内鍔部から起立状として設け、複数の該保持舌片にねじ孔を貫設し、かつ、該ねじ孔と同一軸心上に上記連結部の筒壁部に貫通孔を形成し、ボルトを該貫通孔と上記貫孔と上記ねじ孔に串挿状として螺着して、固着されるものである。
【発明の効果】
【００１３】
本発明の杭の接続構造によれば、一対の杭を継手を介して容易に接続することができ、従来のように、杭同士を溶接する必要がなくなる。このことにより、杭の接続作業を簡素化して作業時間を大幅に短縮することができる。また、溶接に必要な電力や設備を用意する必要はなく、さらに、火災の虞れもないので、特に、一般住宅の基礎構造の施工に好適である。また、雨天時の接続作業も可能となる。また、一対の杭を継手とボルトで機械的構造により接続するので、接続強度を均一にすることができ、取り外しも可能である。さらに、ボルトは両持梁状に支持されているので、強度上有利であり、破損しにくくなる。
【００１４】
本発明の杭と羽根の接続構造によれば、杭と羽根とを容易に接続することができる。即ち、従来のように、杭と羽根とを溶接して接続する必要がなくなるので、杭と羽根との接続作業を簡素化して作業時間を大幅に短縮することができる。また、溶接に必要な電力や設備を用意する必要はなく、さらに、火災の虞れもないので、特に、一般住宅の基礎構造の施工に好適である。また、雨天時の接続作業も可能となる。また、杭と羽根とを連結部とボルトで機械的構造により接続するので、接続強度を均一にすることができ、取り外しも可能である。さらに、ボルトは両持梁状に支持されているので、強度上有利であり、破損しにくくなる。
【発明を実施するための最良の形態】
【００１５】
図１は、本発明の実施の使用状態を示す。本発明の杭の接続構造は、２本の円管状の杭１の端部２を、短筒状の継手３にて、相互に接続する接続構造であって、例えば、２本以上の住宅用鋼管杭を順次接続する際の接続構造として用いられる。継手３は、例えば、鋳造にて製造される（鋳鉄とする）。好ましくは、継手３はダクタイル又はマリアブルから成る。２本の杭１を接続後、上側の杭１に（図示省略の建設機械の回転押込手段にて）回転トルクＴを与えて、この回転トルクＴを下側の杭１に伝える。下側の杭１の下端４の端部２に後述のように羽根30が接続されている。下側の杭１の回転にともなって羽根30が回転し、地中Ｇを掘削しつつ杭１が埋設されていく。
【００１６】
また、図２（ａ）の展開図と図３及び図７に於て、本発明の第１の実施の形態を示す。本発明の接続構造は、２本の円管状杭１の端部２を、短筒状の継手３にて、相互に接続する構造であって、例えば、杭１の端部２は最端縁部60から長手方向へ細長状切欠部61を円周方向に１８０°間隔で２箇所設けると共に、一つの細長状切欠部61から円周方向に９０°と２７０°の位置に貫孔63を設けている。
【００１７】
次に、継手３は、短筒状で軸心方向の中間部に内鍔部10を有し、杭１の端部２が差込み可能な環状凹溝13が形成されている。また、杭１が継手３に差し込まれた状態で杭１の端部２の内周面２ａに対面状に内鍔部10から起立状として円周方向に９０°間隔で保持舌片70を４つ設けている。また、環状凹溝13の底面13ａに杭１の端部２の最端縁部60が当たるように差込まれた状態で２つの保持舌片70の外周面70ａと継手３の内周面11を連結するように細長状切欠部61を差込可能な連結片部74を設けると共に、残り２つ保持舌片には杭１の端部２の貫孔63と同一軸心上のねじ孔51を設けている。また、継手３の筒壁部12には、ねじ孔51と同一軸心上に貫通孔50を設けている。
【００１８】
即ち、杭１の端部２の２箇所の細長状切欠部61を２箇所の連結片部74に各々に差し込みつつ、杭１の端部２の最端縁部60を継手３の環状凹溝13の底面13ａに当たるまで差し込み、次に、ボルト90を用いて継手３の筒壁部12の貫通孔50と杭１の端部２の貫孔63と保持舌片70のねじ孔51を串挿状として螺着して杭１と継手３を固着することが可能な構造となっている。
【００１９】
また、図２（ｂ）の展開図と図４及び図８に於て、本発明の第２の実施の形態を示す。本発明の接続構造は、同様に杭１を継手３にて相互に接続する構造であって、例えば、杭１の端部２は最端縁部60から長手方向へ細長状切欠部61を設けると共に、円周方向に１８０°反対側の端部２に貫孔63を設けている。
【００２０】
次に、継手３は、第１の実施の形態と同様に内鍔部10を有し、環状凹溝13が形成されている。また、継手３に差し込まれた状態で杭１の端部２の内周面２ａに対面状に内鍔部10から起立状として１８０°対称位置に一対の保持舌片70を設けている。また、環状凹溝13の底面13ａに杭１の端部２の最端縁部60が当たるように差込まれた状態で一つの保持舌片70の外周面70ａと継手３の内周面11を連結するように細長状切欠部61を差込可能な連結片部74を設けると共に、残り一つ保持舌片70には、杭１の端部２の貫孔63と同一軸心上のねじ孔51を設けている。また、継手３の筒壁部12には、ねじ孔51と同一軸心上に貫通孔50を設けている。
【００２１】
即ち、杭１の端部２の細長状切欠部61を連結片部74に差し込みつつ、杭１の端部２の最端縁部60を継手３の環状凹溝13の底面13ａに当たるまで差し込み、次に、ボルト90を用いて継手３の筒壁部12の貫通孔50と杭１の端部２の貫孔63と保持舌片70のねじ孔51を串挿状として螺着して杭１と継手３を固着することが可能な構造となっている。
【００２２】
また、図２（ｃ）の展開図と図５及び図９に於て、本発明の第３の実施の形態を示す。本発明の接続構造は、同様に杭１を継手３にて相互に接続する構造であって、例えば、杭１の端部２は、最端縁部60から長手方向へ細長状切欠部61を設けると共に、細長状切欠部61の側端縁61ａから掘削回転方向Ｎとは逆方向の円周方向へ横切欠部62を設け、さらに、円周方向に１８０°反対側の端面にも端部２の最端縁部60から長手方向へ細長状切欠部61を設けると共に、細長状切欠部61の側端縁61ａから掘削回転方向Ｎとは逆方向の円周方向へ横切欠部62を設けている。
【００２３】
次に、継手３は、第１の実施の形態と同様に内鍔部10を有し、環状凹溝13が形成されている。また、杭１が継手３に差し込まれた状態で杭１の端部２の内周面２ａに対面状に内鍔部10から起立状として１８０°対称位置に保持舌片70を２つ設けている。また、環状凹溝13の底面13ａに杭１の端部２の最端縁部60が当たるように差込まれた状態で２つの保持舌片70の外周面70ａと継手３の内周面11を連結するように細長状切欠部61を差込可能な連結片部74を設けると共に、２つの保持舌片70はボルト90が横切欠部62に貫通可能なねじ孔51を設けている。また、継手３の筒壁部12には、ねじ孔51と同一軸心上に貫通孔50を設けている。
【００２４】
即ち、杭１の端部２の細長状切欠部61を各々連結片部74に差込みつつ、杭１の端部２の最端縁部60を継手３の環状凹溝13の底面13ａに当たるまで差し込み、次に、ボルト90を用いて継手３の筒壁部12の貫通孔50と杭１の端部２の横切欠部62と保持舌片70のねじ孔51を串挿状として螺着して杭１と継手３を固着することが可能な構造となっている。
【００２５】
また、図２（ｄ）の展開図と図６及び図10に於て、本発明の第４の実施の形態を示す。本発明の接続構造は、同様に杭１を継手３にて相互に接続する構造であって、例えば、杭１の端部２は貫孔63を円周方向に９０°間隔で４箇所設けている。
【００２６】
次に、継手３は、第１の実施の形態と同様に内鍔部10を有し、環状凹溝13が形成されている。また、杭１が継手３に差し込まれた状態で杭１の端部２の内周面２ａに対面状に内鍔部10から起立状として円周方向に９０°間隔で保持舌片70を４つ設けている。また、環状凹溝13の底面13ａに杭１の端部２の最端縁部60が当たるように差込まれた状態で、４つの保持舌片には杭１の端部２の貫孔63と同一軸心上のねじ孔51を設けている。また、継手３の筒壁部12には、ねじ孔51と同一軸心上に貫通孔50を設けている。
【００２７】
即ち、杭１の端部２の最端縁部60を継手３の環状凹溝13の底面13ａに当たるまで差し込み、次に、ボルト90を用いて継手３の筒壁部12の貫通孔50と杭１の端部２の貫孔63と保持舌片70のねじ孔51を串挿状として螺着して杭１と継手３を固着することが可能な構造となっている。
【００２８】
図１は、本発明の実施の使用状態を示す。本発明の杭と羽根の接続構造は、円管状の杭１の端部２を、羽根30の短筒状の連結部31にて、接続する接続構造であって、住宅用鋼管杭と羽根を接続する際の接続構造として用いられる。連結部31は、例えば、鋳造にて製造される（鋳鉄とする）。好ましくは、連結部31はダクタイル又はマリアブルから成る。２本の杭１を接続後、上側の杭１に（図示省略の建設機械の回転押込手段にて）回転トルクＴを与えて、この回転トルクＴを下側の杭１に伝える。下側の杭１の下端４に後述のように羽根30が接続されている。下側の杭１の回転にともなって羽根30が回転し、地中Ｇを掘削しつつ杭１が埋設されていく。
【００２９】
また、図２（ａ）の展開図と図11及び図15に於て、本発明の第５の実施の形態を示す。本発明の接続構造は、円管状杭１の端部２を、羽根30（の短筒状の連結部31）と接続する構造であって、例えば、杭１の端部２は最端縁部60から長手方向へ細長状切欠部61を円周方向に１８０°間隔で２箇所設けると共に、一つの細長状切欠部61から円周方向に９０°と２７０°の位置に貫孔63が設けている。
【００３０】
次に、羽根30の連結部31は、短筒状で軸心方向中間部に内鍔部10を有し、杭１の端部２が差込み可能な環状凹溝13が形成されている。また、杭１が連結部31に差し込まれた状態で杭１の端部２の内周面２ａに対面状に内鍔部10から起立状として円周方向に９０°間隔で保持舌片70を４つ設けている。また、環状凹溝13の底面13ａに杭１の端部２の最端縁部60が当たるように差込まれた状態で２つの保持舌片70の外周面70ａと継手３の内周面11を連結するように細長状切欠部61を差込可能な連結片部74を設けると共に、残り２つ保持舌片には、杭１の端部２の貫孔63と同一軸心上のねじ孔51を設けている。また、連結部31の筒壁部12には、ねじ孔51と同一軸心上に貫通孔50を設けている。
【００３１】
即ち、杭１の端部２の２箇所の細長状切欠部61を２箇所連結片部74各々に差し込みつつ、杭１の端部２の最端縁部60を連結部31の環状凹溝13の底面13ａに当たるまで差し込み、次に、ボルト90を用いて継手３の筒壁部12の貫通孔50と杭１の端部２の貫孔63と保持舌片70のねじ孔51を串挿状として螺着して杭１と継手３を固着することが可能な構造となっている。
【００３２】
また、図２（ｂ）の展開図と図12及び図16に於て、本発明の第６の実施の形態を示す。本発明の接続構造は、同様に杭１を、羽根30（の連結部31）と接続する構造であって、例えば、杭１の端部２は最端縁部60から長手方向へ細長状切欠部61を設けると共に、円周方向に１８０°反対側の端部２に貫孔63を設けている。
【００３３】
次に、連結部31は、第５の実施の形態と同様に内鍔部10を有し、環状凹溝13が形成されている。また、杭１が継手３に差し込まれた状態で杭１の端部２の内周面２ａに対面状に内鍔部10から起立状として１８０°対称位置に保持舌片70を２つ設けている。また、環状凹溝13の底面13ａに杭１の端部２の最端縁部60が当たるように差込まれた状態で１つの保持舌片70の外周面70ａと継手３の内周面11を連結するように細長状切欠部61を差込可能な連結片部74を設けると共に、残り１つ保持舌片には、杭１の端部２の貫孔63と同一軸心上のねじ孔51を設けている。また、連結部31の筒壁部12には、ねじ孔51と同一軸心上に貫通孔50を設けている。
【００３４】
即ち、杭１の端部２の細長状切欠部61を連結片部74に差し込みつつ、杭１の端部２の最端縁部60を連結部31の環状凹溝13の底面13ａに当たるまで差し込み、次に、ボルト90を用いて連結部31の筒壁部12の貫通孔50と杭１の端部２の貫孔63と保持舌片70のねじ孔51を串挿状として螺着して杭１と継手３を固着することが可能な構造となっている。
【００３５】
また、図２（ｃ）の展開図と図13及び図17に於て、本発明の第７の実施の形態を示す。本発明の接続構造は、同様に杭１を羽根30（の連結部31）と接続する構造であって、例えば、杭１の端部２は最端縁部60から長手方向へ細長状切欠部61を設けると共に、細長状切欠部61の側端縁61ａから掘削回転方向Ｎとは逆方向の円周方向へ横切欠部62を設け、さらに、円周方向に１８０°反対側の端面にも端部２の最端縁部60から長手方向へ細長状切欠部61を設けると共に、細長状切欠部61の側端縁61ａから掘削回転方向Ｎとは逆方向の円周方向へ横切欠部62を設けている。
【００３６】
次に、連結部31は、第５の実施の形態と同様に内鍔部10を有し、環状凹溝13が形成されている。また、杭１が継手３に差し込まれた状態で杭１の端部２の内周面２ａに対面状に内鍔部10から起立状として１８０°対称位置に保持舌片70を２つ設けている。また、環状凹溝13の底面13ａに杭１の端部２の最端縁部60が当たるように差込まれた状態で２つの保持舌片70の外周面70ａと連結部31の内周面11を連結するように細長状切欠部61を差込可能な連結片部74を設けると共に、２つの保持舌片70はボルト90が横切欠部62に貫通可能なねじ孔51を設けている。また、連結部31の筒壁部12には、ねじ孔51と同一軸心上に貫通孔50を設けている。
【００３７】
即ち、杭１の端部２の細長状切欠部61を各々連結片部74に差込みつつ、杭１の端部２の最端縁部60を連結部31の環状凹溝13の底面13ａに当たるまで差し込み、次に、ボルト90を用いて連結部31の筒壁部12の貫通孔50と杭１の端部２の横切欠部62と保持舌片70のねじ孔51を串挿状として螺着して杭１と連結部31を固着することが可能な構造となっている。
【００３８】
また、図２（ｄ）の展開図と図14及び図18に於て、本発明の第８の実施の形態を示す。本発明の接続構造は、同様に杭１を羽根30（の連結部31）と接続する構造であって、例えば、杭１の端部２は最端縁部60から貫孔63を円周方向に９０°間隔で４箇所設けている。
【００３９】
次に、連結部31は、第５の実施の形態と同様に内鍔部10を有し、環状凹溝13が形成されている。また、杭１が連結部31に差し込まれた状態で杭１の端部２の内周面２ａに対面状に内鍔部10から起立状として円周方向に９０°間隔で保持舌片70を４つ設けている。また、環状凹溝13の底面13ａに杭１の端部２の最端縁部60が当たるように差込まれた状態で、４つの保持舌片には杭１の端部２の貫孔63と同一軸心上のねじ孔51を設けている。また、連結部31の筒壁部12には、ねじ孔51と同一軸心上に貫通孔50を設けている。
【００４０】
即ち、杭１の端部２の最端縁部60を連結部31の環状凹溝13の底面13ａに当たるまで差し込み、次に、ボルト90を用いて連結部31の筒壁部12の貫通孔50と杭１の端部２の貫孔63と保持舌片70のねじ孔51を串挿状として螺着して杭１と継手３を固着することが可能な構造となっている。
【００４１】
また、上述した杭の接続構造の第1 ，２，４の実施の形態及び杭と羽根の接続構造の第５，６，８の実施の形態では、図19（ａ）のように回転トルクＴを与えて杭１がＮ方向へ回転されると、図19（ｂ）のように杭１の端部２の貫孔63の内面63ａが保持舌片70のねじ孔51に螺着されたボルト90に強く押し付けられて、図19（ｃ）のように、杭１の貫孔63の（受圧側）内端縁63ａが圧潰し、かつ、肉厚が増大する方向（内径方向及び外径方向）へ塑性変形して、極めて高い面圧で、筒壁部12の内周面11、及び、保持舌片70の外周面70ａに接触する（押圧される）。図19（ｃ）の符号Ｓ，Ｔは極めて高い面圧にて接触している接触部を示し、この接触部Ｓ，Ｔに於ける極めて高い接触面圧によって摩擦抵抗が増大し、杭１と筒壁部12、及び、杭１と保持舌片70との間で伝達される回転トルクＴは極めて大となり、全体として、杭１から杭１へ、さらに羽根30へ大きな回転力が伝達されていく。
【００４２】
また、上述した杭の接続構造の第３の実施の形態及び杭と羽根の接続構造の第７の実施の形態に於ては、図20に示す如く、同図（ａ）から（ｂ）及び（ｃ）と順次、矢印Ｎ方向の回転トルクＴによって、横切欠部62の内端縁（内面）62ａが圧潰して（肉厚が増大する塑性変形を起こし）、接触部Ｓ，Ｔに於て極めて高い接触面圧で、筒壁部12の内周面11、及び、保持舌片70の外周面70ａに接触・押圧され摩擦抵抗が増大して、大きな回転トルクが伝達される。なお、連結片部74に切欠部61の側端縁61ａを強く当接させて、この連結片部74にて、力を受けるのも望ましい場合（ボルト90が細径のとき等）がある。
【００４３】
また、上述した杭の接続構造の実施の形態及び杭と羽根の接続構造の実施の形態では、ボルト90にて杭１と継手３または、杭１と羽根30は固着されているので、ボルト90の取り外しによって、杭１と継手３または、杭１と羽根30はそれぞれ取り外しも容易となっている。また、内鍔部10又は底壁32に凹溝を設け杭１の端部２を差込状として固着することで、回転する際の杭１の内径方向への変形を規制し、回転トルクＴの力が杭１の変形方向へ分散されず、円周方向へ効率良く力を伝達できる。
【００４４】
なお、本発明は上述の図示の実施の形態以外にも種々に設計変更自由であり、例えば、図21（ａ）のように、ボルト90の頭部90ａを筒壁部12の外周面12ｂに突出して螺着しても、図21（ｂ）のように、貫通孔50をボルト頭90ａより大きく設定し、ボルト頭90ａを筒壁部12に埋没するように螺着しても良い。なお、図２（ｂ）のように構成すれば、ボルト90が（回転中に）摩耗や破損しにくいという利点がある。また、細長状切欠部61や貫孔63及び保持舌片70の数の増減は自由である。
ところで、杭１の端部に、図２（ａ）〜（ｄ）に示したような切欠部61，横切欠部62あるいは貫孔63を加工するには、未加工パイプ材（杭１）の端部の内部に受け金具を挿入し、油圧等のアクチュエータで直線作動する雄金型又はポンチにて、外周側から軸心直交方向に、押圧して、プレス加工やポンチ加工等の塑性加工にて形成するのが望ましい。
【００４５】
以上のように、本発明は、２本の円管状の杭１の端部２を、短筒状の継手３にて、相互に接続する接続構造であって、杭１の端部２に、最端縁部60から長手方向へ細長状切欠部61を複数形成すると共に、貫孔63を複数形成し、さらに継手３が、軸心方向中間部に内鍔部10を有し、内鍔部10には杭１の端部２が差込まれる環状凹溝13が形成され、かつ、杭１の端部２が環状凹溝13に差込まれた状態で杭１の端部２の内周面２ａに対向する複数の保持舌片70を内鍔部10から起立状として設け、細長状切欠部61に差し込まれる連結片部74を継手３の内周面11と保持舌片70の内の所定数のものの外周面70ａを連結するように形成し、さらに、残りの保持舌片70にねじ孔51を貫設し、かつ、ねじ孔51と同一軸心上に継手３の筒壁部12に貫通孔50を形成し、ボルト90を貫通孔50と貫孔63とねじ孔51に串挿状として螺着して、固着することを特徴とする杭の接続構造なので、一対の杭１を継手３を介して容易に接続することができ、従来のように、杭同士を溶接する必要がなくなる。このことにより、杭１の接続作業を簡素化して作業時間を大幅に短縮することもできる。また、溶接に必要な電力や設備を用意する必要はなく、さらに、火災の虞れもないので、特に、一般住宅の基礎構造の施工に好適である。また、雨天時の接続作業も可能となる。また、一対の杭１を継手３とボルト90により機械的構造によって接続するので、接続強度を均一にすることができ、取り外しも可能である。また、細長状切欠部61を連結片部74へ差し込むことで、円周方向の位置決めの役目を果たし、継手３の貫通孔50と杭１の貫孔63を略同一軸心上とできるためボルト90の螺着が容易である。また、継手３の複数の連結片部74に各々細長状切欠部61を差込むことで連結片部74がガイドの役目を果たし、継手３の軸心と杭１の軸心が略同一軸心上となるため大口径の杭１や重い杭１が斜めに拗れず、杭１を継手３へ容易に差し込める。また、ボルト90を用いて複数の箇所で固着するため、大口径の杭１での掘削や、杭１を数本接続しておこなう深い掘削や、固い地盤の掘削など、より大きい回転トルクが必要な施工に対応できる。  
【００４６】
また、本発明は、２本の円管状の杭１の端部２を、短筒状の継手３にて、相互に接続する接続構造であって、杭１の端部２に、最端縁部60から長手方向へ細長状切欠部61を形成すると共に、細長状切欠部61と１８０°反対側の端部２に貫孔63を形成し、さらに、継手３が、軸心方向中間部に内鍔部10を有し、内鍔部10には杭１の端部２が差込まれる環状凹溝13が形成され、かつ、杭１の端部２が環状凹溝13に差込まれた状態で杭１の端部２の内周面２ａに対向する一対の保持舌片70を１８０°の対称位置に内鍔部10から起立状として設け、細長状切欠部61に差込まれる連結片部74が継手３の内周面11と一つの保持舌片70の外周面70ａを連結するように形成し、残りの保持舌片70にねじ孔51を貫設し、かつ、ねじ孔51を同一軸心上に継手３の筒壁部12に貫通孔50を形成し、ボルト90を貫通孔50と貫孔63とねじ孔51に串挿状として螺着して、固着することを特徴とする杭の接続構造なので、一対の杭１を継手３を介して容易に接続することができ、従来のように、杭同士を溶接する必要がなくなる。このことにより、杭１の接続作業を簡素化して作業時間を大幅に短縮することもできる。また、溶接に必要な電力や設備を用意する必要はなく、さらに、火災の虞れもないので、特に、一般住宅の基礎構造の施工に好適である。また、雨天時の接続作業も可能となる。また、一対の杭１を継手３とボルト90により機械的構造によって接続するので、接続強度を均一にすることができ、取り外しも可能である。また、細長状切欠部61を連結片部74へ差し込むことで、円周方向の位置決めの役目を果たし、継手３の貫通孔50と杭１の貫孔63を略同一軸心上とできるためボルト90の螺着作業が容易である。また、継手３の連結片部74へ細長状切欠部61を差し込む箇所を一箇所にすることで、継手３の軸心と杭１の軸心が略同一軸心上に容易かつ迅速にできると共に、ボルト90の螺着作業も一箇所のため接続作業の時間が短縮され作業効率が上がる。よって、大量の杭を埋設する施工や、時間の限られた夜間や緊急の施工に対応できる。また、保持舌片70を２箇所しか必要としないため、継手３が小型・軽量化でき、安価で製作できる。また、杭１の端部２のへの加工面積が少ない為、表面積の少ない細い杭１にも対応できる。
【００４７】
また、本発明は、２本の円管状の杭１の端部２を、短筒状の継手３にて、相互に接続する接続構造であって、杭１の端部２に、最端縁部60から長手方向へ細長状切欠部61を複数形成すると共に、細長状切欠部61の側端縁61ａから円周方向へ横切欠部62を形成し、さらに、継手３が、軸心方向中間部に内鍔部10を有し、内鍔部10には杭１の端部２が差込まれる環状凹溝13が形成され、かつ、杭１の端部２が環状凹溝13に差込まれた状態で杭１の端部２の内周面２ａに対向する複数の保持舌片70を内鍔部10から起立状として設け、細長状切欠部61に差込まれる連結片部74を継手３の内周面11と複数の保持舌片70の外周面70ａを連結するように形成すると共に、ねじ孔51を貫設し、かつ、ねじ孔51と同一軸心上に継手３の筒壁部12に貫通孔50を形成し、ボルト90を貫通孔50と横切欠部62とねじ孔51に串挿状として螺着して、固着することを特徴とする杭の接続構造なので、一対の杭１を継手３を介して容易に接続することができ、従来のように、杭同士を溶接する必要がなくなる。このことにより、杭１の接続作業を簡素化して作業時間を大幅に短縮することもできる。また、溶接に必要な電力や設備を用意する必要はなく、さらに、火災の虞れもないので、特に、一般住宅の基礎構造の施工に好適である。また、雨天時の接続作業も可能となる。また、一対の杭１を継手３とボルト90により機械的構造によって接続するので、接続強度を均一にすることができ、取り外しも可能である。また細長状切欠部61を連結片部74へ差し込むことで、円周方向の位置決めの役目を果たし、継手３の貫通孔50から差し込んだボルト90が杭１の横切欠部62に貫通可能な位置に決定できるため、螺着作業が容易である。また、継手３の複数の連結片部74に各々細長状切欠部61を差込むことで連結片部74がガイドの役目を果たし、継手３の軸心と杭１の軸心が略同一軸心上となるため、杭１を継手３へ容易に差し込める。また、細長状切欠部61と横切欠部62を一形状とすることで、一工程で成形可能なため、効率的な杭１の端部２の加工ができる。
【００４８】
また、本発明は、２本の円管状の杭１の端部２を、短筒状の継手３にて、相互に接続する接続構造であって、杭１の端部２に、貫孔63を複数形成し、さらに、継手３が、軸心方向中間部に内鍔部10を有し、内鍔部10には杭１の端部２が差込まれる環状凹溝13が形成され、かつ、杭１の端部２が環状凹溝13に差込まれた状態で杭１の端部２の内周面２ａに対向する複数の保持舌片70を内鍔部10から起立状として設け、複数の保持舌片70にねじ孔51を貫設し、かつ、ねじ孔51と同一軸心上に継手３の筒壁部12に貫通孔50を形成し、ボルト90を貫通孔50と貫孔63とねじ孔51に串挿状として螺着して、固着することを特徴とする杭の接続構造なので、一対の杭１を継手３を介して容易に接続することができ、従来のように、杭同士を溶接する必要がなくなる。このことにより、杭１の接続作業を簡素化して作業時間を大幅に短縮することもできる。また、溶接に必要な電力や設備を用意する必要はなく、さらに、火災の虞れもないので、特に、一般住宅の基礎構造の施工に好適である。また、雨天時の接続作業も可能となる。また、一対の杭１を継手３とボルト90により機械的構造によって接続するので、接続強度を均一にすることができ、取り外しも可能である。
【００４９】
また、本発明は、円管状の杭１の端部２と羽根30を接続する杭１と羽根30の接続構造であって、上記杭１の端部２に、最端縁部60から長手方向へ細長状切欠部61を複数形成すると共に、貫孔63を複数形成し、羽根30は、一体又は一体状に有底または無底の短筒状の連結部31を有し、さらに、連結部31の底壁32又は内鍔部10の上面に杭１の端部２が差込まれる環状凹溝13が形成され、かつ、杭１の端部２が環状凹溝13に差込まれた状態で杭１の端部２の内周面２ａに対向する複数の保持舌片70を内鍔部10から起立状として設け、細長状切欠部61に差込まれる連結片部74を連結部31の内周面11と保持舌片70の内の所定数のものの外周面70ａを連結するように形成し、さらに、残りの保持舌片70にねじ孔51を貫設し、かつ、ねじ孔51と同一軸心上に連結部31の筒壁部12に貫通孔50を形成し、ボルト90を貫通孔50と貫孔63とねじ孔51に串挿状として螺着して、固着することを特徴とする杭と羽根の接続構造なので、杭１と羽根30を容易に接続することができ、従来のように、杭と羽根を溶接する必要がなくなる。このことにより、杭１と羽根30の接続作業を簡素化して作業時間を大幅に短縮することができる。また、溶接に必要な電力や設備を用意する必要がなく、さらに、火災の虞れもないので、特に、一般住宅の基礎施工に好適である。また、雨天時の作業も可能となる。また、杭１と羽根30を連結部31とボルト90で機械的構造により接続するので、接続強度を均一にすることができ、取り外しも可能である。また、細長状切欠部61を連結片部74へ差し込むことで、円周方向の位置決めの役目を果たし、連結部31の貫通孔50と杭１の貫孔63が略同一軸心上となるためボルト90の螺着作業が容易である。また、連結部31の複数の連結片部74に各々細長状切欠部61を差込むことで連結片部74がガイドの役目を果たし、連結部31の軸心と杭１の軸心が略同一軸心上となるため大口径の杭１や重い杭１が斜めに拗れず、杭１を連結部31へ容易に差し込める。また、ボルト90を用いて複数の箇所で固着するため、大口径の杭１での掘削や、固い地盤の掘削など、より大きい回転トルクが必要な施工に対応できる
【００５０】
また、本発明は、円管状の杭１の端部２と羽根30を接続する杭１と羽根30の接続構造であって、杭１の端部２に、最端縁部60から長手方向へ細長状切欠部61を形成すると共に、細長状切欠部61と１８０°反対側の端部２に貫孔63を形成し、羽根30は、一体又は一体状に有底または無底の短筒状の連結部31を有し、さらに、連結部31の底壁32又は内鍔部10の上面に杭１の端部２が差込まれる環状凹溝13が形成され、かつ、杭１の端部２が環状凹溝13に差込まれた状態で杭１の端部２の内周面２ａに対向する一対の保持舌片70を１８０°の対称位置に内鍔部10から起立状として設け、細長状切欠部61に差込まれる連結片部74が連結部31の内周面11と一つの保持舌片70の外周面70ａを連結するように形成し、残りの保持舌片70にねじ孔51を貫設し、かつ、該ねじ孔51を同一軸心上に連結部31の筒壁部12に貫通孔50を形成し、ボルト90を貫通孔50と貫孔63とねじ孔51に串挿状として螺着して、固着することを特徴とする杭と羽根の接続構造なので、杭１と羽根30を容易に接続することができ、従来のように、杭と羽根を溶接する必要がなくなる。このことにより、杭１と羽根30の接続作業を簡素化して作業時間を大幅に短縮することができる。また、溶接に必要な電力や設備を用意する必要がなく、さらに、火災の虞れもないので、特に、一般住宅の基礎施工に好適である。また、雨天時の作業も可能となる。また、杭１と羽根30を連結部31とボルト90で機械的構造により接続するので、接続強度を均一にすることができ、取り外しも可能である。また、細長状切欠部61を連結片部74へ差し込むことで、円周方向の位置決めの役目を果たし、連結部31の貫通孔50と杭１の貫孔63を略同一軸心上とできるためボルト90の螺着作業が容易である。また、連結部31の連結片部74へ細長状切欠部61を差し込む箇所を一箇所にすることで、連結部31の軸心と杭１の軸心が略同一軸心上に容易かつ迅速にできると共に、ボルト90の螺着作業も一箇所のため接続作業の時間が短縮され作業効率が上がる。よって、大量の杭を埋設する施工や、時間の限られた夜間や緊急の施工に対応できる。また、保持舌片70を２箇所しか必要としないため、連結部31が小型・軽量化でき、安価で製作できる。また、杭１の端部２への加工面積が少なくてよいため、表面積の少ない細い杭１にも対応できる。
【００５１】
また、本発明は、円管状の杭１の端部２と羽根30を接続する杭１と羽根30の接続構造であって、上記杭１の端部２に、最端縁部60から長手方向へ細長状切欠部61を複数形成すると共に、細長状切欠部61の側端縁61ａから円周方向へ横切欠部62を形成し、羽根30は、一体又は一体状に有底または無底の短筒状の連結部31を有し、さらに、連結部31の底壁32又は内鍔部10の上面に杭１の端部２が差込まれる環状凹溝13が形成され、かつ、杭１の端部２が環状凹溝13に差込まれた状態で杭１の端部２の内周面２ａに対向する複数の保持舌片70を内鍔部10から起立状として設け、細長状切欠部61に差込まれる連結片部74を連結部31の内周面11と複数の保持舌片70の外周面70ａを連結するように形成すると共に、ねじ孔51を貫設し、かつ、ねじ孔51と同一軸心上に連結部31の筒壁部12に貫通孔50を形成し、ボルト90を貫通孔50と横切欠部62とねじ孔51に串挿状として螺着して、固着することを特徴とする杭と羽根の接続構造なので、杭１と羽根30を容易に接続することができ、従来のように、杭と羽根を溶接する必要がなくなる。このことにより、杭１と羽根30の接続作業を簡素化して作業時間を大幅に短縮することができる。また、溶接に必要な電力や設備を用意する必要がなく、さらに、火災の虞れもないので、特に、一般住宅の基礎施工に好適である。また、雨天時の作業も可能となる。また、杭１と羽根30を連結部31とボルト90で機械的構造により接続するので、接続強度を均一にすることができ、取り外しも可能である。また、細長状切欠部61を連結片部74へ差し込むことで、円周方向の位置決めの役目を果たし、連結部31の貫通孔50から差し込んだボルト90が杭１の横切欠部62に貫通可能な位置に決定できるため、螺着作業が容易である。また、連結部31の複数の連結片部74に各々細長状切欠部61を差込むことで連結片部74がガイドの役目を果たし、継手３の軸心と杭１の軸心が略同一軸心上となるため、杭１を継手３へ容易に差し込める。また、細長状切欠部61と横切欠部62を一形状とすることで、一工程で成形可能なため、効率的な杭１の端部２の加工ができる。
【００５２】
また、本発明は、円管状の杭１の端部２と羽根30を接続する杭１と羽根30の接続構造であって、杭１の端部２に、貫孔63を複数個形成し、羽根30は、一体又は一体状に有底または無底の短筒状の連結部31を有し、さらに、連結部31の底壁32又は内鍔部10の上面に杭１の端部２が差込まれる環状凹溝13が形成され、かつ、杭１の端部２が環状凹溝13に差込まれた状態で杭１の端部２の内周面２ａに対向する複数の保持舌片70を内鍔部10から起立状として設け、複数の保持舌片70にねじ孔51を貫設し、かつ、ねじ孔51と同一軸心上に連結部31の筒壁部12に貫通孔50を形成し、ボルト90を貫通孔50と貫孔63とねじ孔51に串挿状として螺着して、固着することを特徴とする杭と羽根の接続構造なので、杭１と羽根30を容易に接続することができ、従来のように、杭と羽根を溶接する必要がなくなる。このことにより、杭１と羽根30の接続作業を簡素化して作業時間を大幅に短縮することができる。また、溶接に必要な電力や設備を用意する必要がなく、さらに、火災の虞れもないので、特に、一般住宅の基礎施工に好適である。また、雨天時の作業も可能となる。また、杭１と羽根30を連結部31とボルト90で機械的構造により接続するので、接続強度を均一にすることがででき、取り外しも可能である。
【図面の簡単な説明】
【００５３】
【図１】使用状態を示す実施の一形態の一部断面側面図である。
【図２】実施の形態を示す展開図である。
【図３】第１の実施の形態を示す要部断面図である。
【図４】第２の実施の形態を示す要部断面図である。
【図５】第３の実施の形態を示す要部断面図である。
【図６】第４の実施の形態を示す要部断面図である。
【図７】使用状態説明図である。
【図８】使用状態説明図である。
【図９】使用状態説明図である。
【図１０】使用状態説明図である。
【図１１】第５の実施の形態を示す全体図であり、（ａ）は正面図であり、（ｂ）は側面要部断面図である。
【図１２】第６の実施の形態を示す全体図であり、（ａ）は正面図であり、（ｂ）は側面要部断面図である。
【図１３】第７の実施の形態を示す全体図であり、（ａ）は正面図であり、（ｂ）は側面要部断面図である。
【図１４】第８の実施の形態を示す全体図であり、（ａ）は正面図であり、（ｂ）は側面要部断面図である。
【図１５】使用状態説明図である。
【図１６】使用状態説明図である。
【図１７】使用状態説明図である。
【図１８】使用状態説明図である。
【図１９】作用説明図である。
【図２０】作用説明図である。
【図２１】要部拡大断面図である。
【符号の説明】
【００５４】
１  杭
２  端部
２ａ  内周面
３  継手
10  内鍔部
11  内周面
12  筒壁部
13  環状凹溝
30  羽根
31  連結部
32  底壁
50  貫通孔
51  ねじ孔
60  最端縁部
61  細長状切欠部
61ａ  側端縁
62  横切欠部
63  貫孔
70  保持舌片
70ａ  外周面
74  連結片部
90  ボルト
【図１】
2008223409.tif 000003
【図２】
2008223409.tif 000004
【図３】
2008223409.tif 000005
【図４】
2008223409.tif 000006
【図５】
2008223409.tif 000007
【図６】
2008223409.tif 000008
【図７】
2008223409.tif 000009
【図８】
2008223409.tif 000010
【図９】
2008223409.tif 000011
【図１０】
2008223409.tif 000012
【図１１】
2008223409.tif 000013
【図１２】
2008223409.tif 000014
【図１３】
2008223409.tif 000015
【図１４】
2008223409.tif 000016
【図１５】
2008223409.tif 000017
【図１６】
2008223409.tif 000018
【図１７】
2008223409.tif 000019
【図１８】
2008223409.tif 000020
【図１９】
2008223409.tif 000021
【図２０】
2008223409.tif 000022
【図２１】
2008223409.tif 000023